(57)【要約】  本出願は、街灯と街灯柱に基づいてスマートシティＩｏＴを構築するためのシステムおよび方法に関する。前記システムは、１つ以上のデータ収集コンポーネントと、１つ以上の着脱式街灯、リピーター、ハブ、クラウドサーバー、および端末を含み、前記データ収集コンポーネントは、前記着脱式街灯と通信可能に接続され、前記着脱式街灯は前記リピーターと通信可能に接続され、前記リピーターは前記ハブと通信可能に接続され、前記ハブは前記クラウドサーバーと通信可能に接続され、前記クラウドサーバーは前記端末と通信可能に接続される。本発明は、都市監視の効率を改善するだけでなく、多くのコストを節約することができる。
2021510247.tif 000002
【特許請求の範囲】
【請求項１】
１つ以上のデータ収集コンポーネントと、１つ以上の着脱式街灯と、リピーターと、ハブと、クラウドサーバーと、端末とを含み、前記データ収集コンポーネントは前記着脱式街灯と通信可能に接続され、前記着脱式街灯は前記リピーターと通信可能に接続され、前記リピーターは前記ハブと通信可能に接続され、前記ハブは前記クラウドサーバーと通信可能に接続され、前記クラウドサーバーは前記端末と通信可能に接続され、
前記データ収集コンポーネントは、データを収集し、収集した前記データを着脱式街灯に送信するために使用され、
前記着脱式街灯は、前記データ収集コンポーネントから送信されたデータを受信し、前記データを、内蔵ゲートウェイを介してリピーターに送信するために使用され、
前記リピーターは、前記着脱式街灯から送信されたデータを受信し、前記データをハブに送信するために使用され、
前記ハブは、前記リピーターから送信されたデータを受信し、前記データをクラウドサーバーに送信するために使用され、
前記クラウドサーバーは、前記ハブから送信されたデータを受信し、受信した前記データを処理し、処理されたデータを端末に送信するために使用され、
前記端末は、前記処理されたデータを受信し、前記処理されたデータを表示画面に表示するために使用される、ことを特徴とする街灯と街灯柱に基づいてスマートシティＩｏＴを構築するためのシステム。
【請求項２】
前記データ収集コンポーネントは、セキュリティデータ収集モジュール、交通ナビゲーションデータ収集モジュール、および無線周波数識別モジュールのうちの少なくとも１つを含む、ことを特徴とする請求項１に記載のシステム。
【請求項３】
前記セキュリティデータ収集モジュールによって収集されたデータは、煙監視データ、ガス監視データ、粉塵監視データ、山監視データ、水位監視データ、および建設現場監視データのうちの少なくとも１つを含む、ことを特徴とする請求項２に記載のシステム。
【請求項４】
前記交通ナビゲーションデータ収集モジュールによって収集されたデータは、駐車スペースデータ、および交通ライブデータを含む、ことを特徴とする請求項２に記載のシステム。
【請求項５】
前記システムは、
前記着脱式街灯に適合した街灯柱をさらに含み、前記街灯柱上に充電パイル、および電子広告画面のうちの少なくとも１つが設けられる、ことを特徴とする請求項１から４のいずれか１項に記載のシステム。
【請求項６】
データ収集コンポーネントがデータを収集し、収集した前記データを着脱式街灯に送信するステップと、
前記着脱式街灯が前記データ収集コンポーネントから送信されたデータを受信し、前記データを、内蔵ゲートウェイを介してリピーターに送信するステップと、
前記リピーターが前記着脱式街灯から送信されたデータを受信し、前記データをハブに送信するステップと、
前記ハブが前記リピーターから送信されたデータを受信し、前記データをクラウドサーバーに送信するステップと、
前記クラウドサーバーが前記ハブから送信されたデータを受信し、受信した前記データを処理し、処理されたデータを端末に送信するステップと、
前記端末が前記処理されたデータを受信し、前記処理されたデータを表示画面に表示するステップと、を含むことを特徴とする街灯と街灯柱に基づいてスマートシティＩｏＴを構築するための方法。
【請求項７】
前記データ収集コンポーネントは、セキュリティデータ収集モジュール、交通路况データ収集モジュール、無線周波数識別モジュールのうちの少なくとも１つを含む、ことを特徴とする請求項６に記載の方法。
【請求項８】
前記データ収集コンポーネントがデータを収集し、収集した前記データを着脱式街灯に送信するステップは、
前記データ収集コンポーネントが、無線周波数識別モジュールを通じて目標監視オブジェクトセットに対応する現在ラベル情報セットを取得し、前記現在ラベル情報セットを着脱式街灯に送信することを含み、
前記クラウドサーバーがハブから送信されたデータを受信し、受信した前記データを処理し、処理されたデータを端末に送信して表示するステップは、
前記クラウドサーバーが、前記現在ラベル情報セットを受信し、前記現在ラベル情報セットと予め保存されたラベル情報セットを比較することを含み、
前記現在ラベル情報セットに対応するラベル情報の数が予め保存されたラベル情報セットに対応するラベル情報の数に比べて減少すると、前記クラウドサーバーは、減少したラベル情報に対応する地理的位置情報およびカテゴリ情報を取得し、前記地理的位置情報およびカテゴリ情報を端末に送信する、ことを特徴とする請求項７に記載の方法。
【請求項９】
前記データ収集コンポーネントがデータを収集し、収集した前記データを着脱式街灯に送信するステップは、
前記データ収集コンポーネントが各駐車スペースに設置された赤外線センサーを介してデータを収集し、収集したデータを着脱式街灯に送信することを含み、
前記クラウドサーバーがハブから送信されたデータを受信し、受信した前記データを処理し、処理されたデータを端末に送信して表示するステップは、
前記クラウドサーバーが、受信したデータに基づいて、各駐車スペースが占有されているかどうかを判断することを含み、
前記クラウドサーバーは、空き駐車スペースに対応する地理的位置情報を取得し、前記地理的位置情報を端末に送信する、ことを特徴とする請求項７に記載の方法。
【請求項１０】
コンピュータープログラムが記憶されるコンピューター可読記憶媒体であって、前記コンピュータープログラムがプロセッサによって実行されるとき、請求項６〜９のいずれか１項に記載の方法のステップが実現される、ことを特徴とするコンピューター可読記憶媒体。
【発明の詳細な説明】
【技術分野】
【０００１】
本出願は、通信技術の分野に関し、特に、街灯と街灯柱に基づいてスマートシティＩｏＴを構築するためのシステムおよび方法に関する。
【背景技術】
【０００２】
ＩｏＴ（モノのインターネット、Ｉｎｔｅｒｎｅｔ  ｏｆ  Ｔｈｉｎｇｓ）技術の急速な発展に伴い、スマートシティを実現するためのＩｏＴに基づく都市の監視が益々注目を集め、ここで、スマートシティとは、情報通信技術の手段により都市の運営コアシステムの各重要な情報を感知、分析、統合して、人々の生活、環境保護、公共セキュリティ、都市サービス、産業および商業活動などの様々なニーズにインテリジェントに対応することを指す。
【０００３】
従来の技術では、都市を監視する際に、監視が必要な場所に道路配線柱が掘削され、監視ネットワークシステムが構築され、この方法は、多数の柱を設置する必要があり、非効率であるだけでなく、非常にコストがかかる。
【発明の概要】
【０００４】
これに基づいて、上記の技術的問題に鑑み、コストを節約しながら効率を改善できる街灯と街灯柱に基づいてスマートシティＩｏＴを構築するためのシステムおよび方法を提供する必要がある。
【０００５】
本発明は、街灯と街灯柱に基づいてスマートシティＩｏＴを構築するためのシステムを提供し、前記システムは、１つ以上のデータ収集コンポーネントと、１つ以上の着脱式街灯と、リピーターと、ハブと、クラウドサーバーと、端末とを含み、前記データ収集コンポーネントは前記着脱式街灯と通信可能に接続され、前記着脱式街灯は前記リピーターと通信可能に接続され、前記リピーターは前記ハブと通信可能に接続され、前記ハブは前記クラウドサーバーと通信可能に接続され、前記クラウドサーバーは前記端末と通信可能に接続され、
前記データ収集コンポーネントは、データを収集し、収集した前記データを着脱式街灯に送信するために使用され、
前記着脱式街灯は、前記データ収集コンポーネントから送信されたデータを受信し、前記データを、内蔵ゲートウェイを介してリピーターに送信するために使用され、
前記リピーターは、前記着脱式街灯から送信されたデータを受信し、前記データをハブに送信するために使用され、
前記ハブは、前記リピーターから送信されたデータを受信し、前記データをクラウドサーバーに送信するために使用され、
前記クラウドサーバーは、前記ハブから送信されたデータを受信し、受信した前記データを処理し、処理されたデータを端末に送信するために使用され、
前記端末は、前記処理されたデータを受信し、前記処理されたデータを表示画面に表示するために使用される。
【０００６】
一実施例では、前記データ収集コンポーネントは、セキュリティデータ収集モジュール、交通ナビゲーションデータ収集モジュール、および無線周波数識別モジュールのうちの少なくとも１つを含む。
【０００７】
一実施例では、前記セキュリティデータ収集モジュールによって収集されたデータは、煙監視データ、ガス監視データ、粉塵監視データ、山監視データ、水位監視データ、および建設現場監視データのうちの少なくとも１つを含む。
【０００８】
一実施例では、前記交通ナビゲーションデータ収集モジュールによって収集されたデータは、駐車スペースデータ、および交通ライブデータを含む。
【０００９】
一実施例では、前記システムは、
前記着脱式街灯に適合した街灯柱をさらに含み、前記街灯柱上に充電パイル、および電子広告画面のうちの少なくとも１つが設けられる。
【００１０】
また、本発明は、街灯と街灯柱に基づいてスマートシティＩｏＴを構築するための方法を提供し、前記方法は、
データ収集コンポーネントがデータを収集し、収集した前記データを着脱式街灯に送信するステップと、
前記着脱式街灯が前記データ収集コンポーネントから送信されたデータを受信し、前記データを、内蔵ゲートウェイを介してリピーターに送信するステップと、
前記リピーターが前記着脱式街灯から送信されたデータを受信し、前記データをハブに送信するステップと、
前記ハブが前記リピーターから送信されたデータを受信し、前記データをクラウドサーバーに送信するステップと、
前記クラウドサーバーが前記ハブから送信されたデータを受信し、受信した前記データを処理し、処理されたデータを端末に送信するステップと、
前記端末が前記処理されたデータを受信し、前記処理されたデータを表示画面に表示するステップと、を含む。
【００１１】
一実施例では、前記データ収集コンポーネントは、セキュリティデータ収集モジュール、交通路况データ収集モジュール、および無線周波数識別モジュールのうちの少なくとも１つを含む。
【００１２】
一実施例では、前記データ収集コンポーネントがデータを収集し、収集された前記データを着脱式街灯に送信するステップは、
前記データ収集コンポーネントが、無線周波数識別モジュールを通じて目標監視オブジェクトセットに対応する現在ラベル情報セットを取得し、前記現在ラベル情報セットを着脱式街灯に送信することを含み、
前記クラウドサーバーがハブから送信されたデータを受信し、受信した前記データを処理し、処理されたデータを端末に送信して表示するステップは、
前記クラウドサーバーが、前記現在ラベル情報セットを受信し、前記現在ラベル情報セットと予め保存されたラベル情報セットを比較することを含み、
前記現在ラベル情報セットに対応するラベル情報の数が予め保存されたラベル情報セットに対応するラベル情報の数に比べて減少すると、前記クラウドサーバーは、減少したラベル情報に対応する地理的位置情報およびカテゴリ情報を取得し、前記地理的位置情報およびカテゴリ情報を端末に送信する。
【００１３】
一実施例では、前記データ収集コンポーネントがデータを収集し、収集した前記データを着脱式街灯に送信するステップは、
前記データ収集コンポーネントが、各駐車スペースに設置された赤外線センサーを介してデータを収集し、収集したデータを着脱式街灯に送信することを含み、
前記クラウドサーバーがハブから送信されたデータを受信し、受信した前記データを処理し、処理されたデータを端末に送信して表示するステップは、
前記クラウドサーバーが、受信したデータに基づいて、各駐車スペースが占有されているかどうかを判断することを含み、
前記クラウドサーバーは空き駐車スペースに対応する地理的位置情報を取得し、前記地理的位置情報を端末に送信する。
【００１４】
また、本発明は、コンピュータープログラムが記憶されるコンピューター可読記憶媒体を提供し、前記コンピュータープログラムがプロセッサによって実行されるとき、
データ収集コンポーネントがデータを収集し、収集した前記データを着脱式街灯に送信するステップと、
前記着脱式街灯が前記データ収集コンポーネントから送信されたデータを受信し、前記データを、内蔵ゲートウェイを介してリピーターに送信するステップと、
前記リピーターが前記着脱式街灯から送信されたデータを受信し、前記データをハブに送信するステップと、
前記ハブが前記リピーターから送信されたデータを受信し、前記データをクラウドサーバーに送信するステップと、
前記クラウドサーバーが前記ハブから送信されたデータを受信し、受信した前記データを処理し、処理されたデータを端末に送信するステップと、
前記端末が前記処理されたデータを受信し、前記処理されたデータを表示画面に表示するステップと、が実現される。
【発明の効果】
【００１５】
上記の街灯と街灯柱に基づいてスマートシティＩｏＴを構築するためのシステム、方法および記憶媒体は、既存の街灯をデータ伝送のキャリアの１つとして使用するため、街灯はすでに都市に存在し、既存の電源ラインがあるため、元の街灯を簡単に変更するだけでよく、道路配線ポールを掘削する必要がないため、効率が向上するだけでなく、コストも大幅に節約される。
【図面の簡単な説明】
【００１６】
【図１】一実施例における街灯と街灯柱に基づいてスマートシティＩｏＴを構築するためのシステムの構造概略図である。
【図２】一実施例における街灯と街灯柱に基づいてスマートシティＩｏＴを構築するための方法の概略フローチャートである。
【図３】別の実施例における街灯と街灯柱に基づいてスマートシティＩｏＴを構築するための方法の概略フローチャートである。
【図４】さらに他の実施例における街灯と街灯柱に基づいてスマートシティＩｏＴを構築するための方法の概略フローチャートである。
【発明を実施するための形態】
【００１７】
本出願の目的、技術的解決策、および利点をより明確にするために、本出願を、添付の図面および実施例と併せてさらに詳細に説明する。本明細書で説明される具体的な実施例は、本出願を解釈するためにのみ使用され、本出願を限定するものではないことを理解されたい。
【００１８】
一実施例では、図１に示すように、街灯と街灯柱に基づいてスマートシティＩｏＴを構築するためのシステムを提供し、該システムは、複数のデータ収集コンポーネント１０４と、複数の着脱式街灯１０６と、リピーター１０８と、ハブ１１０と、クラウドサーバー１１２と、端末１１４とを含み、
データ収集コンポーネント１０４は、温度センサー、変位センサー、湿度センサー、煙センサー、赤外線センサーなどの各種のセンサーを含み、必要に応じて、監視される街灯の周りの場所に１つ以上の対応するセンサーを提供し、データ収集コンポーネントは、街灯に統合され得るか、監視される必要がある、街灯以外の場所に設置される１台以上のカメラを含み得る。
【００１９】
一実施例では、データ収集コンポーネント１０４は、ＷＩＦＩモジュール（Ｗｉｒｅｌｅｓｓ  Ｆｉｄｅｌｉｔｙ、無線ローカルエリアネットワーク）、Ｂｌｕｅｔｏｏｔｈ（登録商標）モジュール、ＺｉｇＢｅｅモジュール、ＮＢ-ＩｏＴ（Ｎａｒｒｏｗ  Ｂａｎｄ  Ｉｎｔｅｒｎｅｔ  ｏｆ  Ｔｈｉｎｇｓ、狭帯域ＩｏＴ）通信モジュール、Ｌｏｒａ通信モジュールなどの無線通信モジュールを含み得、データ収集モジュールは、センサー、カメラなどを介してデータを収集し、収集したデータを、無線通信モジュールを介して着脱式街灯に送信することができる。
【００２０】
着脱式街灯１０６はそれに対応する街灯柱と取り外し可能に接続され、都市の道路に沿って設置されている場所であればどこにでも設置でき、各着脱式街灯の近くに複数のデータ収集コンポーネントを設置でき、着脱式街灯にはメインコントローラーと、メインコントローラーに電気的に接続された無線通信モジュールが備えられ、該無線通信モジュールはデータ収集コンポーネントから送信されたデータを受信でき、着脱式街灯１０６は、内蔵したゲートウェイをさらに含み、着脱式街灯１０６は受信したデータを、ゲートウェイを介してリピーター１０８に送信する。一実施例では、リピーター１０８は着脱式街灯と有線ネットワークを介して接続される。
【００２１】
一実施例では、着脱式街灯１０６には、メインコントローラーに電気的に接続された知能調光モジュールがさらに含まれ、知能調光モジュールは街灯の明るさを調節するために使用される。具体的には、知能調光モジュールは、輝度センサーを介して外部環境の明るさを感知し、外部環境の明るさが予設の閾値よりも高い場合、街灯の明るさを下げるように制御し、外部環境の明るさが予設の閾値よりも小さい場合、街灯の明るさを上げるように制御して、電気エネルギー資源を節約することができる。
【００２２】
一実施例では、着脱式街灯１０６には、メインコントローラーに電気的に接続された故障検出モジュールがさらに含まれ、故障検出モジュールは、街灯の故障を自動的に検出し、故障データが検出されると、故障データを、ゲートウェイを介してリピーターに送信する。具体的には、故障検出モジュールは、電流センサーを介して街灯の電流データを収集し、収集した電流データをメインコントローラーに送信し、メインコントローラーは、電流データに基づいて街灯が故障しているかどうかを判断し、街灯が故障すると、アラーム信号を生成し、ゲートウェイを介してアラーム信号を端末に送信する。
【００２３】
リピーター１０８は、着脱式街灯から送信されたデータを受信し、受信したデータをハブ１１０に送信し、リピーター１０８がハブ１１０と有線ネットワークを介して通信可能に接続される。本実施例では、データを伝送するようにリピーター１０８およびハブ１１０を設置することにより、ネットワークの伝送距離を拡大することができる。
【００２４】
ハブ１１０はリピーター１０８と有線ネットワークを介して通信可能に接続され、さらにハブはクラウドサーバー１１２と無線ネットワークを介して接続される。本実施例では、ハブ１１０はリピーター１０８から送信されたデータを受信し、受信したデータをクラウドサーバー１１２に送信するために使用される。
【００２５】
さらに、クラウドサーバー１１２は、ハブ１１０のデータを受信し、受信したデータを処理することは、受信したデータを統計、分析、スクリーニング、比較、判断、暗号化、記憶などの処理方法のうちの少なくとも１つを含む。さらに、クラウドサーバー１１２は処理されたデータを端末１１４に送信する。
【００２６】
端末１１４はクラウドサーバー１１２と無線ネットワークを介して通信可能に接続され、クラウドサーバー１１２から送信されたデータを受信し、受信したデータを表示画面に表示するために使用される。
【００２７】
一実施例では、端末１１４は、バックグラウンド管理端末および通常ユーザ端末を含み、バックグラウンド管理端末に対応するユーザは、通常ユーザ端末に対応するユーザと異なる権利を有する。バックグラウンド管理端末に対応するユーザは、すべてのデータを受信し、データを記憶、変更、および動的分析などの操作を実行できる。例えば、バックグラウンド管理端末は、都市の全体的な監視のために関連政府機関によって設置される端末であり得る。通常ユーザ端末は、クラウドサーバーにログインしてそのユーザ権利に対応するデータを受信して表示することができる。例えば、データ収集モジュールはカメラを介して交通ライブデータを収集する場合、通常ユーザ端末は、クラウドサーバーから送信された交通ライブデータを受信し、交通ライブデータをビデオとして見る。
【００２８】
上記の街灯と街灯柱に基づいてスマートシティＩｏＴを構築するためのシステムでは、街灯をデータ伝送のキャリアの１つとして使用し、街灯とデータ収集コンポーネント、リピーター、ハブ、クラウドサーバー、端末などでネットワークを介して通信するスマートシティ監視システムを構築して、都市を監視し、街灯はすでに都市に存在し、既存の電源ラインがあるため、元の街灯を簡単に変更するだけでよく、道路の配線を掘削する必要がなく、効率を改善できるだけでなく、コストも大幅に節約できる。
【００２９】
一実施例では、データ収集コンポーネントは、セキュリティデータ収集モジュール、交通ナビゲーションデータ収集モジュール、および無線周波数識別モジュールのうちの少なくとも１つを含む。そのうち、セキュリティデータ収集モジュールは、生命と財産の安全に関連するデータを収集するために使用され、交通ナビゲーションデータ収集モジュールは、車両フローデータ、歩行者フローデータなどの道路交通に関連するデータを収集するために使用され、無線周波数識別モジュールは、目標監視オブジェクトに無線周波数信号を送信する同時に、目標監視オブジェクトから返信された無線周波数信号を受信するために使用され、目標監視オブジェクトとは監視される必要があるオブジェクト、例えばマンホールカバー、電気ケーブル、ゴミ箱などを指し、目標監視オブジェクトには、無線周波数識別モジュールが読み取り可能なＲＦＩＤ（Ｒａｄｉｏ  Ｆｒｅｑｕｅｎｃｙ  Ｉｄｅｎｔｉｆｉｃａｔｉｏｎ、無線周波数識別）電子ラベルが設置される。
【００３０】
一実施例では、セキュリティデータ収集モジュールによって収集されたデータは、煙監視データ、ガス監視データ、粉塵監視データ、山監視データ、水位監視データ、および建設現場監視データのうちの少なくとも１つを含む。その中に、煙監視データは、カメラによって収集された煙の画像情報データであり得、ガス監視データは、有毒、可燃性、爆発性などのガスの濃度データであり得、粉塵監視データは粉塵濃度データであり得、山監視データはカメラによる特定場所の山の画像収集によって得られたデータであり得、水位監視データは、地下パイプラインまたは河道の水位を監視することによって得られたデータであり得、建設現場監視データは、カメラによる建設現場の画像収集によって得られたデータであり得る。
【００３１】
一実施例では、交通ナビゲーションデータ収集モジュールによって収集されたデータは、駐車スペースデータ、および交通ライブデータを含む。ここで、駐車スペースデータとは、駐車スペースが占有されているかどうかを特徴付けるためのデータを指し、交通ライブデータとは、カメラを介して交通道路状況をリアルタイムで収集して得られたデータを指す。
【００３２】
一実施例では、上記システムは、着脱式街灯に適合した街灯柱をさらに含み、街灯柱上に充電パイル、および電子広告画面のうちの少なくとも１つが設けられる。その中に、充電パイルは街灯に電気的に接続され、電気自動車の充電に使用できる。電子広告画面は街灯に電気的に接続され、街灯から送信された気象、環境、緊急情報などの放送情報および他の広告情報を受信し、これらの情報を表示・再生することができる。
【００３３】
一実施例では、図２に示すように、街灯と街灯柱に基づいてスマートシティＩｏＴを構築するための方法を提供し、この方法は、
データ収集コンポーネントはデータを収集し、収集されたデータを着脱式街灯に送信するステップＳ２０２を含む。
【００３４】
ここで、データ収集コンポーネントは、温度センサー、変位センサー、湿度センサー、煙センサー、赤外線センサーなどの各種のセンサーを含み、必要に応じて、監視される街灯の周りの場所に１つ以上の対応するセンサーを提供し、データ収集コンポーネントは、街灯に統合され得るか、監視される必要がある街灯以外の場所に設置される１つ以上のカメラを含み得る。
【００３５】
一実施例では、データ収集コンポーネント１０４は、ＷＩＦＩモジュール（Ｗｉｒｅｌｅｓｓ  Ｆｉｄｅｌｉｔｙ、無線ローカルエリアネットワーク）、Ｂｌｕｅｔｏｏｔｈモジュール、ＺｉｇＢｅｅモジュール、ＮＢ-ＩｏＴ（Ｎａｒｒｏｗ  Ｂａｎｄ  Ｉｎｔｅｒｎｅｔ  ｏｆ  Ｔｈｉｎｇｓ、狭帯域ＩｏＴ）通信モジュール、Ｌｏｒａ通信モジュールなどの無線通信モジュールを含み得、データ収集モジュールは、センサー、カメラなどを介してデータを収集し、収集したデータを、無線通信モジュールを介して着脱式街灯に送信することができる。
【００３６】
着脱式街灯はデータ収集コンポーネントから送信されたデータを受信し、データを、内蔵ゲートウェイを介してリピーターに送信するステップＳ２０４を含む。
【００３７】
ここで、着脱式街灯はそれに対応する街灯柱と取り外し可能に接続され、都市の道路に沿って設置されている場所であればどこにでも設置でき、各着脱式街灯の近くに複数のデータ収集コンポーネントを設置でき、着脱式街灯には、メインコントローラーと、メインコントローラーに電気的に接続された無線通信モジュールが備えられ、該無線通信モジュールはデータ収集コンポーネントから送信されたデータを受信でき、着脱式街灯は、内蔵ゲートウェイをさらに含み、着脱式街灯は受信したデータを、ゲートウェイを介してリピーターに送信する。その中に、リピーターは着脱式街灯と有線ネットワークを介して接続される。
【００３８】
一実施例では、着脱式街灯には、メインコントローラーに電気的に接続された知能調光モジュールがさらに含まれ、知能調光モジュールは輝度センサーを介して外部環境の明るさを感知し、外部環境の明るさが予設の閾値よりも高い場合、街灯の明るさを下げるように制御し、外部環境の明るさが予設の閾値よりも小さい場合、街灯の明るさを上げるように制御して、電気エネルギー資源を節約することができる。
【００３９】
一実施例では、着脱式街灯には、メインコントローラーに電気的に接続された故障検出モジュールがさらに含まれ、故障検出モジュールは、街灯の故障を自動的に検出し、故障データが検出されると、故障データを、ゲートウェイを介してリピーターに送信する。
【００４０】
リピーターは着脱式街灯から送信されたデータを受信し、データをハブに送信するステップＳ２０６を含む。
【００４１】
ここで、リピーターはハブと有線ネットワークを介して通信可能に接続される。
【００４２】
本実施例では、データを伝送するようにリピーターおよびハブを設置することにより、ネットワークの伝送距離を拡大することができる。
【００４３】
ハブはリピーターから送信されたデータを受信し、データをクラウドサーバーに送信するステップＳ２０８を含む。
【００４４】
ここで、ハブはリピーターと有線ネットワークを介して通信可能に接続され、さらにハブはクラウドサーバーと無線ネットワークを介して接続される。
【００４５】
クラウドサーバーはハブから送信されたデータを受信し、受信したデータを処理し、処理されたデータを端末に送信するステップＳ２１０を含む。
【００４６】
端末は処理されたデータを受信し、処理されたデータを表示画面に表示するステップＳ２１２を含む。
【００４７】
その中に、端末はクラウドサーバーと無線ネットワークを介して通信可能に接続される。
【００４８】
一実施例では、端末は、バックグラウンド管理端末および通常ユーザ端末を含み、バックグラウンド管理端末に対応するユーザは、通常ユーザ端末に対応するユーザと異なる権利を有する。バックグラウンド管理端末に対応するユーザは、すべてのデータを受信し、データを記憶、変更、および動的分析などの操作を実行できる。例えば、バックグラウンド管理端末は、都市の全体的な監視のために関連政府機関によって設置される端末であり得る。通常ユーザ端末は、クラウドサーバーにログインしてそのユーザ権利に対応するデータを受信して表示することができる。例えば、データ収集モジュールはカメラを介して交通ライブデータを収集する場合、通常ユーザ端末は、クラウドサーバーから送信された交通ライブデータを受信し、交通ライブデータをビデオとして見る。
【００４９】
上記の街灯と街灯柱に基づいてスマートシティＩｏＴを構築するための方法では、データ収集コンポーネントはデータを収集し、収集されたデータを着脱式街灯に送信するために使用され、着脱式街灯はデータ収集コンポーネントから送信されたデータを受信し、データを、内蔵ゲートウェイを介してリピーターに送信するために使用され、リピーターは着脱式街灯から送信されたデータを受信し、データをハブに送信するために使用され、ハブはリピーターから送信されたデータを受信し、データをクラウドサーバーに送信するために使用され、クラウドサーバーはハブから送信されたデータを受信し、受信したデータを処理し、処理されたデータを端末に送信するために使用され、端末は処理されたデータを受信し、処理されたデータを表示画面に表示するために使用される。既存の街灯をデータ伝送のキャリアの１つとして使用し、街灯はすでに都市に存在し、既存の電源ラインがあるため、元の街灯を簡単に変更するだけでよく、道路の配線を掘削する必要がなく、効率を改善できるだけでなく、コストも大幅に節約できる。
【００５０】
一実施例では、データ収集コンポーネントは、セキュリティデータ収集モジュール、交通ナビゲーションデータ収集モジュール、および無線周波数識別モジュールのうちの少なくとも１つを含む。
【００５１】
一実施例では、図３に示すように、街灯と街灯柱に基づいてスマートシティＩｏＴを構築するための方法を提供し、この方法は、
データ収集コンポーネントは、無線周波数識別モジュールを介して目標監視オブジェクトセットに対応する現在ラベル情報セットを取得し、現在ラベル情報セットを着脱式街灯に送信するステップＳ３０２を含む。
【００５２】
具体的には、目標監視オブジェクトとは、監視される必要があるオブジェクト、例えばマンホールカバー、電気ケーブル、ゴミ箱などを指し、目標監視オブジェクトには、無線周波数識別モジュールが読み取り可能なＲＦＩＤ（Ｒａｄｉｏ  Ｆｒｅｑｕｅｎｃｙ  Ｉｄｅｎｔｉｆｉｃａｔｉｏｎ、無線周波数識別）電子ラベルが設置される。現在ラベル情報セットとは、現在の無線周波数識別モジュールと無線周波数通信する電子ラベルに対応するラベル情報で構成されるセットを指し、ここで、ラベル情報は電子ラベルに対応する番号であり得る。
【００５３】
具体的には、無線周波数識別モジュールは、目標監視オブジェクトセットの各目標監視オブジェクトに無線周波数信号を送信し、目標監視オブジェクトから返信された無線周波数信号を受信すると、該目標監視オブジェクトに対応するラベル情報を現在ラベル情報セットに加える。
【００５４】
着脱式街灯はデータ収集コンポーネントから送信された現在ラベル情報セットを受信し、現在ラベル情報セットを、内蔵ゲートウェイを介してリピーターに送信するステップＳ３０４を含む。
【００５５】
リピーターは着脱式街灯から送信された現在ラベル情報セットを受信し、現在ラベル情報セットをハブに送信するステップＳ３０６を含む。
【００５６】
ハブはリピーターから送信された現在ラベル情報セットを受信し、現在ラベル情報セットをクラウドサーバーに送信するステップＳ３０８を含む。
【００５７】
クラウドサーバーは現在ラベル情報セットを受信し、現在ラベル情報セットと予め保存されたラベル情報セットを比較するステップＳ３１０を含む。
【００５８】
ここで、予め保存されたラベル情報セットとは、すべての監視オブジェクトのラベル情報で構成されるセットを指す。
【００５９】
一実施例では、クラウドサーバーには、予め保存されたラベル情報が異なる無線周波数識別モジュールごとに分類・記憶される。クラウドサーバーは、現在ラベル情報セットを受信すると、まず現在ラベル情報セット中のラベル情報を異なる無線周波数識別モジュールごとに分類し、各無線周波数識別モジュールに対応する現在ラベル情報セットとそれに対応する予め保存されたラベル情報セットとを比較することで、比較の精度を向上させる。
【００６０】
クラウドサーバーに予め保存されたラベル情報セットは、ラベル情報の追加、ラベル情報の削減、ラベル情報の変更など、実際の状況に応じて調整できることが分かる。
【００６１】
現在ラベル情報セットに対応するラベル情報の数が予め保存されたラベル情報に対応するラベル情報の数に比べて減少すると、クラウドサーバーは減少したラベル情報に対応する地理的位置情報およびカテゴリ情報を取得し、地理的位置情報およびカテゴリ情報を端末に送信するステップＳ３１２を含む。
【００６２】
具体的には、地理的位置情報とは、電子ラベルが配置されている目標監視オブジェクトの地理的位置情報を指す。カテゴリ情報は、例えばマンホールカバー、電気ケーブル、ゴミ箱などの目標監視オブジェクトのカテゴリを特徴付けるために使用される。電子ラベルに対応するラベル情報は目標監視オブジェクトと予め関連付けているため、その関連付け関係により、減少したラベル情報を取得すると、該ラベル情報に基づいて対応する目標監視オブジェクトを検索し、該目標オブジェクトに対応する地理的位置情報およびカテゴリ情報を取得することができる。
【００６３】
端末が地理的位置情報およびカテゴリ情報を表示画面に表示するステップＳ３１４を含む。
【００６４】
一実施例では、図４に示すように、街灯と街灯柱に基づいてスマートシティＩｏＴを構築するための方法を提供し、この方法は、
データ収集コンポーネントが、各駐車スペースに配置された赤外線センサーを介してデータを収取し、収集されたデータを着脱式街灯に送信するステップＳ４０２を含む。
【００６５】
具体的には、赤外線センサーによって収集されたデータは、駐車スペースが占有されているかどうかを特徴付けるために使用される。
【００６６】
着脱式街灯は、データ収集コンポーネントから送信されたデータを受信し、データを、内蔵ゲートウェイを介してリピーターに送信するステップＳ４０４を含む。
【００６７】
リピーターが、着脱式街灯から送信されたデータを受信し、データをハブに送信するステップＳ４０６を含む。
【００６８】
ハブが、リピーターから送信されたデータを受信し、データをクラウドサーバーに送信するステップＳ４０８を含む。
【００６９】
クラウドサーバーが、受信したデータに基づいて各駐車スペースが占有されているかどうかを判断するステップＳ４１０を含む。
【００７０】
クラウドサーバーが、空き駐車スペースに対応する地理的位置情報を取得し、地理的位置情報を端末に送信するステップＳ４１２を含む。
【００７１】
具体的には、赤外線センサーは駐車スペースと関連付けているので、クラウドサーバーは赤外線センサーによって収集されたデータを受信すると、これらのデータに基づいてどの駐車スペースが占用されているか、どの駐車スペースが占有されていないかを判断し、データベースから空き駐車スペースに対応する地理的位置情報を検索して、これらの地理的位置情報を端末に送信して表示することができる。
【００７２】
図２〜４のフローチャートの各ステップは、矢印に従って順番に表示されているが、これらのステップは、かならずしも矢印によって示される順番で実行されるわけではないことを理解されたい。本明細書で明確に記述されていない限り、これらのステップの実行順番は厳密に制限されず、これらのステップは他の順番で実行され得る。さらに、図２〜４の少なくとも一部のステップは、複数のサブステップまたは複数のステージを含み得、これらのサブステップまたはステージは必ずしも同時に実行される必要はなく、異なる時間に実行されてもよく、これらのサブステップまたはステージの実行順番は必ずしも連続的である必要もないが、順番に、または代替的に、他のステップまたはサブステップの少なくとも一部、または他のステップのステージと交互に実行することができる。
【００７３】
一実施例では、コンピュータープログラムが記憶されるコンピューター可読記憶媒体を提供し、コンピュータープログラムがプロセッサによって実行されるとき、データ収集コンポーネントがデータを収集し、収集した前記データを着脱式街灯に送信するステップと、前記着脱式街灯が前記データ収集コンポーネントから送信されたデータを受信し、前記データを、内蔵ゲートウェイを介してリピーターに送信するステップと、前記リピーターが前記着脱式街灯から送信されたデータを受信し、前記データをハブに送信するステップと、前記ハブが前記リピーターから送信されたデータを受信し、前記データをクラウドサーバーに送信するステップと、前記クラウドサーバーが前記ハブから送信されたデータを受信し、受信した前記データを処理し、処理されたデータを端末に送信するステップと、前記端末が前記処理されたデータを受信し、前記処理されたデータを表示画面に表示するステップと、が実現される。
【００７４】
一実施例では、データ収集コンポーネントは、セキュリティデータ収集モジュール、交通道路状況データ収集モジュール、および無線周波数識別モジュールのうちの少なくとも１つを含む。
【００７５】
一実施例では、データ収集コンポーネントが、データを収集し、収集されたデータを着脱式街灯に送信するステップは、データ収集コンポーネントが、無線周波数識別モジュールを通じて目標監視オブジェクトセットに対応する現在ラベル情報セットを取得し、前記現在ラベル情報セットを着脱式街灯に送信することを含み、前記クラウドサーバーがハブから送信されたデータを受信し、受信した前記データを処理し、処理されたデータを端末に送信して表示するステップは、前記クラウドサーバーが、前記現在ラベル情報セットを受信し、前記現在ラベル情報セットと予め保存されたラベル情報セットを比較することを含み、前記現在ラベル情報セットに対応するラベル情報の数が予め保存されたラベル情報セットに対応するラベル情報の数に比べて減少すると、前記クラウドサーバーは、減少したラベル情報に対応する地理的位置情報およびカテゴリ情報を取得し、前記地理的位置情報およびカテゴリ情報を端末に送信する。
【００７６】
一実施例では、データ収集コンポーネントが、データを収集し、収集されたデータを着脱式街灯に送信するステップは、データ収集コンポーネントが各駐車スペースに設置された赤外線センサーを介してデータを収集し、収集したデータを着脱式街灯に送信することを含み、前記クラウドサーバーがハブから送信されたデータを受信し、受信した前記データを処理し、処理されたデータを端末に送信して表示するステップは、前記クラウドサーバーが、受信したデータに基づいて、各駐車スペースが占有されているかどうかを判断することを含み、前記クラウドサーバーは空き駐車スペースに対応する地理的位置情報を取得し、前記地理的位置情報を端末に送信する。
【００７７】
当業者は、上記の実施例の方法における全部或一部の流れが、コンピュータープログラムを介して関連するハードウェアに命令することによって完了され得、前記コンピュータープログラムが、不揮発性コンピューター可読記憶媒体に格納され得、このコンピュータープログラムが実行されるとき、上記の各方法の実施例の流れが含まれてもよい。その中に、本出願で提供される各実施例で使用されるメモリ、ストレージ、データベース、または他の媒体への言及は、不揮発性および／または揮発性メモリを含み得る。不揮発性メモリには、読み取り専用メモリ（ＲＯＭ）、プログラム可能ＲＯＭ（ＰＲＯＭ）、電気プログラム可能ＲＯＭ（ＥＰＲＯＭ）、電気的消去可能プログラム可能ＲＯＭ（ＥＥＰＲＯＭ）、またはフラッシュメモリが含まれる。揮発性メモリには、ランダムアクセスメモリ（ＲＡＭ）または外部キャッシュメモリが含まれる。限定ではなく例として、ＲＡＭは、スタティックＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲＳＤＲＡＭ）、拡張ＳＤＲＡＭ（ＥＳＤＲＡＭ）、同期チェーン（Ｓｙｎｃｈｌｉｎｋ）ＤＲＡＭ（ＳＬＤＲＡＭ）、メモリバス（Ｒａｍｂｕｓ）ダイレクトＲＡＭ（ＲＤＲＡＭ）、ダイレクトメモリバスダイナミックＲＡＭ（ＤＲＤＲＡＭ）、およびメモリバスダイナミックＲＡＭ（ＲＤＲＡＭ）などが含まれる。
【００７８】
以上の実施例の各技術的特徴は任意に組み合わせることができ、説明を簡単にするために、上記実施例中の各技術的特徴の可能なすべての組み合わせについては説明を省略するが、これらの技術的特徴の組み合わせに矛盾がない限り、すべて本明細書の保護範囲に含まれることは言うまでもない。
【００７９】
以上の実施例は、本出願のいくつかの実施形態を表すだけであり、その説明はより具体的かつ詳細であるが、それらは、本発明の特許の範囲を限定するものとして解釈されるべきではない。本出願の思想から逸脱しない限り、当業者によってなされた様々な変更や修正は、すべて本出願の保護範囲に含まれる。したがって、本出願の保護範囲は特許請求の範囲によって示される。
【図１】
2021510247.tif 000003
【図２】
2021510247.tif 000004
【図３】
2021510247.tif 000005
【図４】
2021510247.tif 000006
【国際調査報告】
2021510247.tif 000007
2021510247.tif 000008
2021510247.tif 000009
2021510247.tif 000010